(57)【要約】【課題】カード使用での電池駆動時間を使用者に通知することを可能にすると共に、予備電池が何個必要であるかを容易に判断できるようにするための判断材料となるような情報を使用者に通知することを可能にした電子機器における電池残量検出方法及び装置及びプログラム及び記憶媒体を提供する。【解決手段】ＣＰＵ１０５は、カード挿入部にカード１０９が挿入されたか否かを判断し、前記カード挿入部に挿入されたカードの種類を判断し、そのカードの種類に応じて当該カード使用時の前記電池駆動可能時間レベルを判断し、その判断結果に応じた通知音を前記通知音発生手段１０７により発生させる。【選択図】　　　　　　図１
2004046492.tif 000002
【特許請求の範囲】
【請求項１】
カード挿入部を有する電池駆動式の電子機器における電池残量検出方法であって、
前記カード挿入部にカードが挿入されたか否かを判断するカード挿入判断ステップと、
前記カード挿入部に挿入されたカードの種類を判断するカード種類判断ステップと、
使用者に対して各種通知及び警告等を行うための各種通知音を発生する通知音発生ステップと、
前記カード種類判断ステップにより判断されたカードの種類に応じて当該カード使用時における電池駆動可能時間レベルを判断する電池駆動可能時間レベル判断ステップとを備え、
前記カード挿入部にカードが挿入されたか否かを前記カード挿入判断ステップにより判断し、前記カード挿入部に挿入されたカードの種類を前記カード種類判断ステップにより判断し、そのカードの種類に応じて当該カード使用時の前記電池駆動可能時間レベルを前記電池駆動可能時間レベル判断ステップにより判断し、その判断結果に応じた通知音を前記通知音発生ステップにより発生することを特徴とする電子機器における電池残量検出方法。
【請求項２】
前記カード挿入部に挿入されたカードが使用可能であるか否かを判断するカード使用判断ステップを備え、
前記カード挿入部に挿入されたカードが使用可能であると前記カード使用判断ステップにより判断された場合に、カードが使用可能であることを使用者に通知するための通知音を前記通知音発生ステップにより発生し、その後に、前記電池駆動可能時間レベル判断ステップにより判断された電池駆動可能時間レベルに応じた通知音を前記通知音発生ステップにより発生することを特徴とする請求項１記載の電子機器における電池残量検出方法。
【請求項３】
前記カード挿入部に挿入されるカードに内蔵された電池残量を検出する電池残量検出ステップを備え、
前記電池残量検出ステップにより検出された電池残量に応じた通知音を前記通知音発生ステップにより発生することを特徴とする請求項１記載の電子機器における電池残量検出方法。
【請求項４】
前記カード挿入部に挿入されるカードの種類または分類に対応した該カードの消費電流等の各種情報を記憶手段に記憶するカード情報記憶ステップを備え、
前記記憶手段に予め記憶された情報を用いて、前記本体電池駆動時間レベルを前記電池駆動可能時間レベル判断ステップにより判断することを特徴とする請求項１記載の電子機器における電池残量検出方法。
【請求項５】
実際にカード使用時に前記記憶手段に記憶されたカードの各種情報を更新する更新ステップを備えたことを特徴とする請求項４記載の電子機器における電池残量検出方法。
【請求項６】
満充電状態からの電子機器の電池駆動使用による使用積算時間を記憶手段に記憶する電池駆動積算時間記憶ステップと、電子機器の電源オン時に電池残量レベルを通知する電池残量レベル通知ステップとを備え、
常時カードを前記カード挿入部に挿入した状態での電子機器の使用者に、電源オン時に電池残量レベルを前記電池残量レベル通知ステップにより通知することを特徴とする請求項１記載の電子機器における電池残量検出方法。
【請求項７】
カード挿入部を有する電池駆動式の電子機器における電池残量検出装置であって、
前記カード挿入部にカードが挿入されたか否かを判断するカード挿入判断手段と、
前記カード挿入部に挿入されたカードの種類を判断するカード種類判断手段と、
使用者に対して各種通知及び警告等を行うための各種通知音を発生する通知音発生手段と、
前記カード種類判断手段により判断されたカードの種類に応じて当該カード使用時における電池駆動可能時間レベルを判断する電池駆動可能時間レベル判断手段とを備え、
前記カード挿入部にカードが挿入されたか否かを前記カード挿入判断手段により判断し、前記カード挿入部に挿入されたカードの種類を前記カード種類判断手段により判断し、そのカードの種類に応じて当該カード使用時の前記電池駆動可能時間レベルを前記電池駆動可能時間レベル判断手段により判断し、その判断結果に応じた通知音を前記通知音発生手段により発生することを特徴とする電子機器における電池残量検出装置。
【請求項８】
前記カード挿入部に挿入されたカードが使用可能であるか否かを判断するカード使用判断手段を備え、
前記カード挿入部に挿入されたカードが使用可能であると前記カード使用判断手段により判断された場合に、カードが使用可能であることを使用者に通知するための通知音を前記通知音発生手段により発生し、その後に、前記電池駆動可能時間レベル手段により判断された電池駆動可能時間レベルに応じた通知音を前記通知音発生手段により発生することを特徴とする請求項７記載の電子機器における電池残量検出装置。
【請求項９】
前記カード挿入部に挿入されるカードに内蔵された電池残量を検出する電池残量検出手段を備え、
前記電池残量検出手段により検出された電池残量に応じた通知音を前記通知音発生手段により発生することを特徴とする請求項７記載の電子機器における電池残量検出装置。
【請求項１０】
前記カード挿入部に挿入されるカードの種類または分類に対応した該カードの消費電流等の各種情報を記憶する記憶手段を備え、
前記記憶手段に予め記憶された情報を用いて、前記本体電池駆動時間レベルを前記電池駆動可能時間レベル判断手段により判断することを特徴とする請求項７記載の電子機器における電池残量検出装置。
【請求項１１】
実際にカード使用時に前記記憶手段に記憶されたカードの各種情報を更新する更新手段を備えたことを特徴とする請求項１０記載の電子機器における電池残量検出装置。
【請求項１２】
満充電状態からの電子機器の電池駆動使用による使用積算時間を記憶する記憶手段と、電子機器の電源オン時に電池残量レベルを通知する電池残量レベル通知手段とを備え、
常時カードを前記カード挿入部に挿入した状態での電子機器の使用者に、電源オン時に電池残量レベルを前記電池残量レベル通知手段により通知することを特徴とする請求項７記載の電子機器における電池残量検出装置。
【請求項１３】
カード挿入部を有する電池駆動式の電子機器における電池残量検出装置を制御するためのＣＰＵ（中央演算処理装置）で読み取り可能なプログラムであって、
前記カード挿入部にカードが挿入されたか否かを判断するカード挿入判断ステップと、前記カード挿入部に挿入されたカードの種類を判断するカード種類判断ステップと、使用者に対して各種通知及び警告等を行うための各種通知音を発生する通知音発生ステップと、前記カード種類判断ステップにより判断されたカードの種類に応じて当該カード使用時における電池駆動可能時間レベルを判断する電池駆動可能時間レベル判断ステップとを前記ＣＰＵに実行させるためのプログラムコードから成り、
前記カード挿入部にカードが挿入されたか否かを前記カード挿入判断ステップにより判断し、前記カード挿入部に挿入されたカードの種類を前記カード種類判断ステップにより判断し、そのカードの種類に応じて当該カード使用時の前記電池駆動可能時間レベルを前記電池駆動可能時間レベル判断ステップにより判断し、その判断結果に応じた通知音を前記通知音発生ステップにより発生することを特徴とするプログラム。
【請求項１４】
前記カード挿入部に挿入されたカードが使用可能であるか否かを判断するカード使用判断ステップを前記ＣＰＵに実行させるためのプログラムコードから成り、
前記カード挿入部に挿入されたカードが使用可能であると前記カード使用判断ステップにより判断された場合に、カードが使用可能であることを使用者に通知するための通知音を前記通知音発生ステップにより発生し、その後に、前記電池駆動可能時間レベル判断ステップにより判断された電池駆動可能時間レベルに応じた通知音を前記通知音発生ステップにより発生することを特徴とする請求項１３記載のプログラム。
【請求項１５】
前記カード挿入部に挿入されるカードに内蔵された電池残量を検出する電池残量検出ステップを前記ＣＰＵに実行させるためのプログラムコードから成り、
前記電池残量検出ステップにより検出された電池残量に応じた通知音を前記通知音発生ステップにより発生することを特徴とする請求項１３記載のプログラム。
【請求項１６】
前記カード挿入部に挿入されるカードの種類または分類に対応した該カードの消費電流等の各種情報を記憶手段に記憶するカード情報記憶ステップを前記ＣＰＵに実行させるためのプログラムコードから成り、
前記記憶手段に予め記憶された情報を用いて、前記本体電池駆動時間レベルを前記電池駆動可能時間レベル判断ステップにより判断することを特徴とする請求項１３記載のプログラム。
【請求項１７】
実際にカード使用時に前記記憶手段に記憶されたカードの各種情報を更新する更新ステップを前記ＣＰＵに実行させるためのプログラムコードから成ることを特徴とする請求項１６記載のプログラム。
【請求項１８】
満充電状態からの電子機器の電池駆動使用による使用積算時間を記憶手段に記憶する電池駆動積算時間記憶ステップと、電子機器の電源オン時に電池残量レベルを通知する電池残量レベル通知ステップとを前記ＣＰＵに実行させるためのプログラムコードから成り、
常時カードを前記カード挿入部に挿入した状態での電子機器の使用者に、電源オン時に電池残量レベルを前記電池残量レベル通知ステップにより通知することを特徴とする請求項１３記載のプログラム。
【請求項１９】
請求項１３乃至１８記載のプログラムを格納したことを特徴とする記憶媒体。
【発明の詳細な説明】
【０００１】
【発明の属する技術分野】
本発明は、電子機器の電池残量を検出するための電子機器における電池残量検出方法及び装置及びプログラム及び記憶媒体に関する。
【０００２】
【従来の技術】
従来、電子機器における電池残量検出及び電池残量警告は、電子機器使用時において、その表示器に電池残量レベルをその残量に応じたインジケータ表示や、「多い」、「少ない」といった情報を表示し、使用者に通知するものであった。
【０００３】
また、電池残量がかなり少なくなってきた場合のような、運用上非常に危険な状態を検出した場合は、瞬時に、その警告情報を表示器に表示したり、ブザー等による通知音で通知するといった方法が採用されていた。
【０００４】
図９は、従来の電子機器における電池残量レベル検出装置の構成を示すブロック図であり、同図において、９０１は電子機器の電源である電池、９０２は電池電圧をシステムの電源に変換するＤＣ−ＤＣコンバータ、９０３はシステム電源で、ＤＣ−ＤＣコンバータ９０２から出力されて、図示しないＣＰＵ（中央演算処理装置）や周辺ロジックの電源として使われる。９０４は基準電圧発生器（Ａ／Ｄコンバータ）で、電池電圧のアナログデータを電池電圧デジタルデータに変換するものである。９０５はコンパレータで、基準電圧発生器９０４の出力データを基に、電池残量レベルを判断し、電子機器の電池残量表示領域に表示すべきデータを後述するディスプレイコントローラ９０６に送る。９０６はディスプレイコントローラで、前記ＣＰＵからディスプレイコントローラ制御バス９０７を介して送られる制御信号により制御される。９０８は液晶表示器等から成るディスプレイで、ディスプレイコントローラ９０６により制御されて、電池残量情報等を表示する。
【０００５】
図１０は、具体的に電池残量を表示している従来の電子機器の構成を示す平面図であり、同図において、１００１は電子機器、１００２は表示器（図１におけるディスプレイ９０８に相当する。）、１００３は表示器１００２に表示された電池残量レベル情報である。
【０００６】
【発明が解決しようとする課題】
しかしながら、上記従来例では、通常、電池残量表示や、電池残量警告は、カードにアクセスしてない状態での表示や警告となってしまうため、実際メモリーカードやモデムカードを使用した場合に充分な電池容量が無く、直ちに電池切れになる場合が生じる。
【０００７】
また、使用するカードの種類によって消費する電流値が異なるため、電池残量表示を見ているだけでは、どの程度の時間使用可能であるかを判断することが困難である。
【０００８】
また、通常、電池残量表示は、カード無し状態の場合とカード有り状態の場合とに分けられていないため、カード無し状態では電池残量が充分あるように電池残量表示を行っているにも拘らず、カードをカード挿入部に挿入してカードアクセスすると、急に電池残量が少ない状態の表示になってしまい、使用者に混乱を起こさせてしまう。
【０００９】
更には、常時、カードをカード挿入部に挿入した状態で使用するような使用方法の場合には、外部での使用時に予備の電池が何個必要であるかを判断することが困難であるという問題があった。
【００１０】
本発明は、上述した従来技術の有する問題点を解消するためになされたもので、その目的は、カード使用での電池駆動時間を使用者に通知することを可能にすると共に、予備電池が何個必要であるかを容易に判断できるようにするための判断材料となるような情報を使用者に通知することを可能にした電子機器における電池残量検出方法及び装置及びプログラム及び記憶媒体を提供することである。
【００１１】
【課題を解決するための手段】
上記目的を達成するために本発明の電子機器における電池残量検出方法は、カード挿入部を有する電池駆動式の電子機器における電池残量検出方法であって、前記カード挿入部にカードが挿入されたか否かを判断するカード挿入判断ステップと、前記カード挿入部に挿入されたカードの種類を判断するカード種類判断ステップと、使用者に対して各種通知及び警告等を行うための各種通知音を発生する通知音発生ステップと、前記カード種類判断ステップにより判断されたカードの種類に応じて当該カード使用時における電池駆動可能時間レベルを判断する電池駆動可能時間レベル判断ステップとを備え、前記カード挿入部にカードが挿入されたか否かを前記カード挿入判断ステップにより判断し、前記カード挿入部に挿入されたカードの種類を前記カード種類判断ステップにより判断し、そのカードの種類に応じて当該カード使用時の前記電池駆動可能時間レベルを前記電池駆動可能時間レベル判断ステップにより判断し、その判断結果に応じた通知音を前記通知音発生ステップにより発生することを特徴とする。
【００１２】
また、上記目的を達成するために本発明の電子機器における電池残量検出装置は、カード挿入部を有する電池駆動式の電子機器における電池残量検出装置であって、前記カード挿入部にカードが挿入されたか否かを判断するカード挿入判断手段と、前記カード挿入部に挿入されたカードの種類を判断するカード種類判断手段と、使用者に対して各種通知及び警告等を行うための各種通知音を発生する通知音発生手段と、前記カード種類判断手段により判断されたカードの種類に応じて当該カード使用時における電池駆動可能時間レベルを判断する電池駆動可能時間レベル判断手段とを備え、前記カード挿入部にカードが挿入されたか否かを前記カード挿入判断手段により判断し、前記カード挿入部に挿入されたカードの種類を前記カード種類判断手段により判断し、そのカードの種類に応じて当該カード使用時の前記電池駆動可能時間レベルを前記電池駆動可能時間レベル判断手段により判断し、その判断結果に応じた通知音を前記通知音発生手段により発生することを特徴とする。
【００１３】
また、上記目的を達成するために本発明のプログラムは、カード挿入部を有する電池駆動式の電子機器における電池残量検出装置を制御するためのＣＰＵ（中央演算処理装置）で読み取り可能なプログラムであって、前記カード挿入部にカードが挿入されたか否かを判断するカード挿入判断ステップと、前記カード挿入部に挿入されたカードの種類を判断するカード種類判断ステップと、使用者に対して各種通知及び警告等を行うための各種通知音を発生する通知音発生ステップと、前記カード種類判断ステップにより判断されたカードの種類に応じて当該カード使用時における電池駆動可能時間レベルを判断する電池駆動可能時間レベル判断ステップとを前記ＣＰＵに実行させるためのプログラムコードから成り、前記カード挿入部にカードが挿入されたか否かを前記カード挿入判断ステップにより判断し、前記カード挿入部に挿入されたカードの種類を前記カード種類判断ステップにより判断し、そのカードの種類に応じて当該カード使用時の前記電池駆動可能時間レベルを前記電池駆動可能時間レベル判断ステップにより判断し、その判断結果に応じた通知音を前記通知音発生ステップにより発生することを特徴とする。
【００１４】
更に、本発明の記憶媒体は、前記プログラムを格納したことを特徴とする。
【００１５】
【発明の実施の形態】
以下、本発明の各実施の形態を、図１乃至図８に基づき説明する。
【００１６】
（第一実施の形態）
まず、本発明の第一実施の形態を、図１乃至図５に基づき説明する。
【００１７】
図１は、本実施の形態に係る電子残量検出装置を有する電子機器の構成を示すブロック図であり、同図において、１０１は電子機器の電源である電池、１０２は電源オン・オフ検出手段で、電池１０１がオン・オフされたことを検出するものである。１０３は電池残量検出手段で、電池１０１の残量を検出するものである。１０４は電源制御回路（電源制御手段）で、電源オン・オフ検出手段１０２からの電源オン・オフ検出信号を受けて、電池１０１の残量の判断や、後述するシステム電源回路１０６のオン・オフや、ブザー等により各種通知音や警告音を発生させたりするものである。１０５はＣＰＵ（中央演算処理装置）で、電子機器全体の制御を司るものである。１０６はシステム電源回路で、ＣＰＵ１０５等の電源を作るものである。１０７は通知音／警告音発生手段で、各種の通知音や警告音を発生するものである。１０８はカード制御手段（カードコントローラ）で、カードの有無（カードがカード挿入部に挿入されているか否か）の検出やカードへのリード／ライトアクセスの制御等を行うものである。１０９はカードで、その種類としては、メモリーカードやモデムカード等の通信カードがある。１１０は表示器で、各種の情報を表示するものである。
【００１８】
上記構成において、電子機器の電源スイッチが押されたことを電源オン・オフ検出手段１０２が検出すると、電源オフ時もバックアップ電源等で動作可能な電源制御回路１０４が電源オン・オフ検出手段１０２からの検出信号を受け取り、電子機器の電源がオンされたことを判別する。
【００１９】
電源制御回路１０４は、電源がオンされたことを検出すると、電池残量検出手段１０３から現時点の電池１０２の残量を確定する。電池１０２の残量は、電源オン時だけでなく、ＣＰＵ１０５が定期的に確認している。ある時点で、カード１０９が図示しないカード挿入部に挿入されると、カード制御手段１０８は、カード１０９が挿入されたことを検出し、そのカード１０９の情報を読み取り、カード１０９の種類を調べ、カード１０９の種類と現時点での電池１０２の残量データとから、当該カード１０９の使用による電池１０２の残量レベルを判断する。
【００２０】
ＣＰＵ１０５は、カード１０９の種類を認識したことを示す通知音と当該カード１０９の使用による電池１０２の残量レベルの警告音とを、通知音／警告音発生手段１０７により発生させる。具体的には、例えば、通知音（認識音）としては、短い音を一度鳴らした後にカード使用による電池残量レベルを大、中、小の３段階に分け、大レベル、即ち十分な残量ならば警告音を３回、中レベルならば警告音を２回、小レベルならば警告音を１回連続して鳴らす。
【００２１】
次に、本実施の形態に係る電池残量検出手段を有する電子機器の動作を、図２に基づき説明する。
【００２２】
図２は、本実施の形態に係る電子機器における電源オンからカード挿入時の通知音／警告音発生までの処理動作の流れを示すフローチャートである。
【００２３】
図２において、まず、ステップＳ２０１で電源オンキーが押下されることにより、電子機器は電源オン状態になる。次に、ステップＳ２０２でカード１０９がカード挿入部に挿入された否かを挿入されるまで判断する。そして、カード１０９がカード挿入部に挿入されたと判断された場合は、次のステップＳ２０３へ進んで、カード１０９の種類を判別する。次に、ステップＳ２０４で現時点での電池１０２の残量を検出し、次のステップＳ２０５で前記ステップＳ２０４において検出した電池１０２の残量データと、前記ステップＳ２０３において判別したカード１０９の種類を示すデータとから、当該カード１０９を使用時の電池残量レベルを検出する。次に、ステップＳ２０６でカード１０９の通知音（認識音）を通知音／警告音発生手段１０７により発生させ、次のステップＳ２０７で通知音／警告音発生手段１０７により発生させた警告音によって、カード１０９を使用時の電池残量レベルを使用者に通知し、その後、前記ステップＳ２０２へ戻る。
【００２４】
上記構成において、電源オンキーが押下された状態で、カード１０９がカード挿入部に挿入されると、カード１０９の種類を判別し、その時点での電池残量を検出し、その電池残量検出データとカードの種類を示すデータとから図示しない電池残量レベルテーブルを参照し、カード使用時の電池残量レベルを確定する。次に、カードの通知音（認識音）を発生させ、続いて算出したカード使用時の電池残量レベルに対応した警告音を発生させる。
【００２５】
以上述べたように、本実施の形態で示したように、カード１０９をカード挿入部に挿入した場合に、システムがカード１０９を認識したことを通知音（認識音）により確認すると同時に、カード使用時の電池残量レベルを続いて確認することができる。
【００２６】
図３は、本実施の形態に係る電子機器におけるカード使用時の電池残量レベルと警告音との関係を示した図であり、同図において、３０１は電池残量レベルであり、その数値が多いほど電池残量は少ないことを示している。また、３０２は各電池残量レベルに応じた警告音の発生回数である。
【００２７】
図４は、本実施の形態に係る電子機器における電池残量検出手段１０３が持つ各カードの本体＋カード電池駆動時間と、その時の電池電圧との関係を示すグラフであり、カード１０９の種類と各カード使用時の電池電圧の減り方を示している。
【００２８】
図４において、縦軸は電池電圧を、横軸はカード使用時の電池駆動時間を、それぞれ示す。
【００２９】
また、図４において、４０１はフラッシュメモリ時、４０２はＰＨＳカード使用時、４０３はモデムカード使用時の変化をそれぞれ示す。
【００３０】
図４に示す電池電圧の状態とカードの種類とから、各カード使用時の電池駆動時間を求めて電池残量を判断する。
【００３１】
例えば、現在の電池電圧が図４のＡ地点であれば、使用カードがモデムカードの場合の電池駆動可能時間は、ローバッテリー電圧レベルまでのＢ時間となる。
【００３２】
以上のように本実施の形態に係る電子機器によれば、電子機器のカード挿入部にカードを挿入する時点で、カード使用時の電池駆動可能時間を使用者に簡単に通知することができ、使用者は、電池駆動可能時間を把握した上で電子機器を使用することができる。
【００３３】
また、カード使用における急激な電池電圧の低下に伴うシステムダウンによるメモリ内容の破壊等の電子機器への重大な障害を未然に防ぐことが可能である。
【００３４】
また、常時カードを電子機器のカード挿入部に挿入して使用している運用形態の場合に、電源オン時に電池駆動可能時間や予備バッテリーの必要性の有無及びカード内のバックアップ電池の状態等を判断することができ、電子機器を外部で使用する場合にも、前記バックアップ電池の不良等のカード不良による事故を未然に防ぐことが可能で、最適な環境の準備が可能である。
【００３５】
（第二実施の形態）
次に、本発明の第二実施の形態を図５乃至図８に基づき説明する。
図５は、本実施の形態に係る電池残量検出手段を有する電子機器の構成を示すブロック図であり、同図において、上述した第一実施の形態における図１と同一部分には同一符号が付してある。
【００３６】
図５において図１と異なる点は、図１の構成に電池駆動積算データ記憶手段５０１を付加したことである。
【００３７】
図６は、本実施の形態に係る電子機器における各カード使用時の消費電流データを示す図であり、同図において、６０１は使用カードの種類、６０２は各カード使用時の消費電流データであり、その単位は６ｍＡｈで、例えばモデムカードの場合、消費電流データは３０であるから、１８０ｍＡｈ（＝３０ｘ６ｍＡ）になる。
【００３８】
また、この消費電流データは、初期値としては、代表的なカードの標準的なデータしかないが、データに無いカードを使用する場合でも、一度そのカードで満充電状態から電池切れまで使用すれば、カード使用時間から新たにデータを追加することが可能であり、更に、実際にカード使用による電池切れまでの使用時間のデータ更新を繰り返すにより、常に信頼性のあるデータに更新される。
【００３９】
以上の構成により、各カード使用時間を電池駆動積算データ記憶手段５０１に保存しておくことにより、電池残量検出手段１０３は、電池残量レベルを算出することができる。
【００４０】
例えば電池容量をＶ（ｍＡｈ）、モデムカード使用時間をＴＭ（ｈ）、ＰＨＳカード使用時間をＴＰ（ｈ）とし、現在、モデムカードがカード挿入部に挿入されている場合、モデムカード使用による電池駆動可能時間ＴＵ（ｈ）は、下記（１）式により求められる。
【００４１】
ＴＵ＝（Ｖ−（ＴＭｘ３０ｘ６＋ＴＰｘ２５ｘ６））／３０ｘ６（ｈ）…　（１）
図７は、本実施の形態に係る電子機器における電池駆動可能時間と警告音発生回数との関係を示す図であり、同図において、７０１は電池駆動可能時間を、７０２は各電池駆動可能時間に対する警告音の発生回数を、それぞれ示す。
【００４２】
電池駆動可能時間７０１は、この値以上ということを示し、例えば計算結果が７．５時間の場合は、７時間のデータになる。
【００４３】
更に、上記構成によれば、現在電子機器のカード挿入部に挿入されているカードを使用する場合、満充電状態の電池における電池駆動可能時間を使用者に知らせることも容易であり、上述した警告音の発生時に、電池駆動可能時間に続いて、満充電電池の場合の電池駆動可能時間を使用者に通知するための通知音を警告音と同様に発生させるといったことも可能である。
【００４４】
以上のような構成により、特に常時カードをカード挿入部に挿入した様態で電子機器を運用している場合には、その電源オン時に、その時のカード使用可能時間を使用者に知らせることが可能であり、これから外部で電子機器を使用しようとした場合に、予備電池が必要であるか否かや、必要な場合の予備電池の必要個数をも使用者に知らせることが可能である。
【００４５】
次に、本実施の形態に係る電子機器の動作を、図８に基づき説明する。
【００４６】
図８は、本実施の形態に係る電子機器における電源オンからカード使用時の電池駆動可能時間の通知までの動作の流れを示すフローチャートである。
【００４７】
図８において、まず、ステップＳ８０１で電子機器の電源がオンになると、次のステップＳ８０２で現時点の電池残量を電池残量検出手段１０３からのデータにより検出する。次に、ステップＳ８０３で前記ステップＳ８０２において検出された電池残量レベルを、通知音／警告音発生手段１０７にて通知音を発生させることにより、使用者に通知する。このときの通知は大まかなもので、例えばローバッテリーの時にのみ警告音を発生するものである。
【００４８】
次に、ステップＳ８０４で電子機器のカード挿入部にカードが挿入されているか否かを判断する。そして、カードがカード挿入部に挿入されていないと判断された場合は、ステップＳ８０８へ進んで、カード無しでの電池残量レベルを、通知音／警告音発生手段１０７にて通知音を発生させることにより、使用者に通知する。
【００４９】
一方、前記ステップＳ８０４において、カードがカード挿入部に挿入されていると判断された場合は、ステップＳ８０５へ進んで、カードの種類を判別する。次に、ステップＳ８０６でカード使用時の電池残量レベルを検出する。次に、ステップＳ８０７でカードを認識したことを示す通知音（認識音）を通知音／警告音発生手段１０７にて発生させた後、ステップＳ８０８へ進んで、カード使用時の使用残量レベルを、通知音／警告音発生手段１０７にて通知音を発生させることにより、使用者に通知する。
【００５０】
（第三実施の形態）
上述した第二実施の形態における構成に、電子機器の電源オン時にカード使用可能時間の通知と同時にカード内のバックアップ電池の状態を通知させる等、カードステータスの変化情報をカード制御手段１０８が受け取った時に、通知音／警告音発生手段１０７にて警告音を発生させて、使用者に通知することで、常時カードをカード挿入部に挿入した状態で電子機器を運用している場合に、カード内のバックアップ電池の残量低下等、カード不良による事故を未然に防ぐことができる効果もある。
【００５１】
（その他の実施の形態）
また、本発明の目的は、上記各実施の形態の機能を実現するソフトウェアのプログラムコードを記録した記憶媒体を、システム或いは装置に供給し、そのシステム或いは装置のＣＰＵが記憶媒体に格納されたプログラムコードを読み出して実行することによっても達成されることは言うまでもない。
【００５２】
この場合、記憶媒体から読み出されたプログラムコード自体が前述した各実施の形態の機能を実現することになり、そのプログラムコードを記憶した記憶媒体は本発明を構成することになる。
【００５３】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００５４】
また、コンピュータが読み出したプログラムコードを実行することにより、上記各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれることは言うまでもない。
【００５５】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれることは言うまでもない。
【００５６】
【発明の効果】
以上のように本発明によれば、電子機器のカード挿入部にカードを挿入する時点で、カード使用時の電池駆動可能時間を使用者に簡単に通知することができ、使用者は、電池駆動可能時間を把握した上で電子機器を使用することができる。
【００５７】
また、カード使用における急激な電池電圧の低下によるシステムダウンによるメモリ内容の破壊等の電子機器への重大な障害を未然に防ぐことが可能である。
【００５８】
また、常時カードをカード挿入部に挿入して電子機器を運用している形態の場合に、電子機器の電源オン時に使用可能時間や予備バッテリーの必要性の有無、及びカード内のバックアップ電池の状態等を容易に判断することができ、電子機器を外部で使用する場合に、バックアップ電池の不良等によるカード不良による事故を未然に防ぐことが可能であると共に、最適な環境の準備をすることが可能である。
【図面の簡単な説明】
【図１】本発明の第一実施の形態に係る電池残量検出装置を有する電子機器の構成を示すブロック図である。
【図２】本発明の第一実施の形態に係る電池残量検出装置を有する電子機器の動作の流れを示すフローチャートである。
【図３】本発明の第一実施の形態に係る電池残量検出装置を有する電子機器における電池残量レベルと警告音発生回数との関係を示す図である。
【図４】本発明の第一実施の形態に係る電池残量検出装置を有する電子機器における各カードの本体＋カード電池駆動時間と、その時の電池電圧との関係を示すグラフである。
【図５】本発明の第二実施の形態に係る電池残量検出装置を有する電子機器の構成を示すブロック図である。
【図６】本発明の第二実施の形態に係る電池残量検出装置を有する電子機器におけるカードの種類と消費電流データとの関係を示す図である。
【図７】本発明の第二実施の形態に係る電池残量検出装置を有する電子機器における電池駆動可能時間と警告音発生回数との関係を示す図である。
【図８】本発明の第二実施の形態に係る電池残量検出装置を有する電子機器の動作の流れを示すフローチャートである。
【図９】従来の電池残量検出装置を有する電子機器の構成を示すブロック図である。
【図１０】従来の電池残量検出装置を有する電子機器の構成を示す平面図である。
【符号の説明】
１０１　　電池
１０２　　電源オン・オフ検出手段
１０３　　電池残量検出手段
１０４　　電源制御回路
１０５　　ＣＰＵ（中央演算処理装置）
１０６　　システム電源回路
１０７　　通知音／警告音発生手段
１０８　　カード制御手段
１０９　　カード
１１０　　表示器
５０１　　電池駆動積算データ記憶手段
【図１】
2004046492.tif 000003
【図２】
2004046492.tif 000004
【図３】
2004046492.tif 000005
【図４】
2004046492.tif 000006
【図５】
2004046492.tif 000007
【図６】
2004046492.tif 000008
【図７】
2004046492.tif 000009
【図８】
2004046492.tif 000010
【図９】
2004046492.tif 000011
【図１０】
2004046492.tif 000012